(57)【要約】【課題】メール配信サイトに対する携帯端末からのメールアドレスの送信を容易にし、情報機器に不慣れなユーザでも、メール配信サイトからの定期的はメール配信サービスを受けることができるようにする。【解決手段】インターネット２と接続されたメール配信サイト１と、携帯電話３、４と、当該携帯電話３、４の接続端子２８に一時的に接続されるアタッチメント５とよりなるシステムにおいて、アタッチメント５には、メール配信サイト１のアドレスが記憶されており、アタッチメント５と携帯電話３とを接続することにより、携帯電話３のメールアドレスが読み出され、携帯端末３からメール配信サイト１に送信される。メール配信サイト１では、送信されたメールアドレスを登録しておき、登録されたメールアドレスに配信コンテンツの配信する。【選択図】　図１
2004118230.tif 000002
【特許請求の範囲】
【請求項１】
通信ネットワークと接続されたメール配信サイトと、
携帯端末の接続端子に一時的に接続されるとともに、前記メール配信サイトのメールアドレスを記憶しており、当該携帯端末から読み出したメールアドレスを前記メール配信サイトのアドレスへその携帯端末から送信させるアタッチメントと、
その携帯端末から送信されたメールアドレスを登録して記憶する手段と、
その登録された携帯端末のメールアドレスに定期的又は所定の時期に所定のメールを配信するメール配信手段と、
を含むことを特徴とする携帯端末のためのメール配信システム。
【請求項２】
通信ネットワークと接続されたメール配信サイトに、携帯端末から前記通信ネットワークを介して該携帯端末のメールアドレスを送信して、その携帯端末のメールアドレスが前記メール配信サイトに登録されるようにし、以後はその登録されたメールアドレスに所定のメールが前記メール配信サイトから定期的又は所定の時期に配信されるようにしたメール配信システムに使用されるアタッチメントであって、
前記携帯端末の接続端子に一時的に接続されるとともに、前記メール配信サイトのメールアドレスを記憶しており、携帯端末との接続状態においてその携帯端末に記憶されているメールアドレスを読み出し、このメールアドレスを前記メール配信サイトのアドレスに当該携帯端末により前記通信ネットワークを介して送信させるメール配信システム用のアタッチメント。
【請求項３】
前記アタッチメントは、前記携帯端末の接続端子に接続可能な接続端子と、前記メール配信サイトのメールアドレスを記憶する記憶部と、接続対象の携帯端末に記憶されているメールアドレスを読み出して該メールアドレスを前記携帯端末により前記メール配信サイトへ送信させる送信指令手段と、
を含む請求項２に記載のメール配信システム用のアタッチメント。
【請求項４】
前記アタッチメントは、前記携帯端末の接続端子に接続可能な接続端子と、前記メール配信サイトのメールアドレスを記憶する記憶部と、接続対象の携帯端末に記憶されているメールアドレスを読み出して該メールアドレスを前記携帯端末により前記メール配信サイトへ送信させる送信指令手段と、その送信指令手段を起動するためのスイッチと、
を含む請求項３に記載のメール配信システム用のアタッチメント。
【請求項５】
携帯端末の接続端子に一時的に接続されるとともに、通信ネットワークと接続されたメール配信サイトの特定のホームページエリアのアドレスを記憶しており、前記携帯端末との接続状態で所定の指示操作が行われることにより、前記メール配信サイトの特定のホームページエリアに携帯端末を接続させて、そのホームページエリアの内容をその携帯端末から編集可能状態とすることを特徴とするアタッチメント。
【請求項６】
通信ネットワークと接続されたメール配信サイトと、
そのメール配信サイトと関連付けて設けられ、そのメール配信サイトから前記通信ネットワークを介して配信される個別の内容を記憶するホームページエリアと、
その通信ネットワークに接続可能な携帯端末の接続端子に一時的に接続されるアタッチメントであって、メインの携帯端末をホストとしてその携帯端末の接続端子に接続可能であり、またそのメインの携帯端末以外の第三者の携帯端末の接続端子にも接続可能であるとともに、前記メール配信サイトのメールアドレスを記憶しており、前記第三者の携帯端末との接続状態で所定の指示操作が行われることにより前記メール配信サイトのアドレスに当該第三者の携帯端末のメールアドレスをその第三者の携帯端末により送信させる一方、前記メール配信サイトの特定のホームページエリアのアドレスを記憶しており、前記ホストの携帯端末との接続状態で所定の指示操作が行われることにより、前記メール配信サイトの特定のホームページエリアにホストの携帯端末を接続させて、そのホームページエリアの内容をそのホストの携帯端末から編集可能状態とするアタッチメントと、
そのアタッチメントを介して前記第三者の携帯端末から送信されたメールアドレスを前記メール配信サイトに登録して記憶する手段と、
その登録された第三者の携帯端末のメールアドレスに、前記メール配信サイトから前記アタッチメントを介して編集可能なホームページエリアの内容を含む形で所定の内容を前記通信ネットワークを介して定期的又は所定の時期に配信するメール配信手段と、
を含むことを特徴とする携帯端末のためのメール配信システム。
【請求項７】
請求項６において使用されるアタッチメント。
【請求項８】
前記アタッチメントは、前記ホームページエリアの内容を編集するために前記ホストの携帯端末を該ホームページエリアのアドレスに接続させるために押される編集ボタンと、前記第三者の携帯端末のメールアドレスを前記メール配信サイトへ送信してこれを登録させるために押される配信登録ボタンとを備える請求項７に記載のアタッチメント。
【請求項９】
前記メインの携帯端末及び第三者の携帯端末は携帯電話であって、前記アタッチメントは、接続が予定されているメインの携帯電話の電話番号を記憶する記憶部を有し、ある携帯電話との接続状態で編集ボタンが押された際には、前記アタッチメントに記憶されている携帯電話番号と、その携帯電話との接続状態でアタッチメントが読み出した当該携帯電話の携帯電話番号とが一致するかどうかを判断する判定手段と、一致しない場合は前記編集ボタンが押されても無効処理をする手段と、
を含む請求項８に記載のアタッチメント。
【発明の詳細な説明】
【０００１】
【発明の属する技術分野】
本発明は、携帯端末のためのメール配信システム及び携帯端末に接続するためのアタッチメントに関する。
【０００２】
【従来の技術】
従来、通信ネットワークとしてのインターネットに接続されたメール配信サイトに対し、携帯電話からその通信機能を利用してアクセスし、その携帯電話のメールアドレスをそのメール配信サイトに一度登録すれば、あとはそのメール配信サイトから携帯電話に定期的に希望する所定のメールが配信されるようにしたシステムが知られている。
【０００３】
【発明が解決しようとする課題】
この際に、携帯電話からメール配信サイトのアドレス（ＵＲＬ等）をキー入力し、その入力したデータを携帯電話の通信機能でメール配信サイトへ送信し、そこに登録されるようにするものであるため、そのような機器操作になれないユーザー（例えば、年配者や情報機器に不慣れな人）では、そうした登録操作がかならずしも容易に行なわれるとは言い難く、結局そのようなメール配信サイトがあることを仮に知っていたとしても、その積極的な利用には躊躇してしまうケースが多い。
【０００４】
この発明は、メール配信サイトに対する携帯端末からのメールアドレスの送信を容易にし、情報機器に不慣れなユーザでも、メール配信サイトからの定期的はメール配信サービスを受けることができるようにすることにある。
【０００５】
【課題を解決するための手段及び発明の効果】
この発明では、通信ネットワークと接続されたメール配信サイトと、
携帯端末の接続端子に一時的に接続されるとともに、メール配信サイトのメールアドレスを記憶しており、当該携帯端末から読み出したメールアドレスをメール配信サイトのアドレスへその携帯端末から送信させるアタッチメントと、
その携帯端末から送信されたメールアドレスを登録して記憶する手段と、
その登録された携帯端末のメールアドレスに定期的又は所定の時期に所定のメールを配信するメール配信手段と、
を含むことを特徴とする。
【０００６】
このように、携帯電話等の形態端末の接続端子にアタッチメントを接続するこことにより、その形態端末のメールアドレスが、そのアタッチメントにより読みだされて、メール配信サイトへその携帯端末から送信されるため、携帯端末のユーザーは、いちいちキー操作でメール配信サイトのアドレスデータを入力する必要がない。したがって、メール配信サイトへ簡単に携帯端末のメールアドレスが送信されて、登録される。また、当初のメールアドレス登録の処理が極めて簡単で、情報的知識が乏しく又不慣れなユーザーでも容易に当初の登録手続きを行うことができる。
なお、アタッチメントに設けられたスイッチを押すという所定の操作をすることにより携帯端末のメールアドレスをメール配信サイトに送信することができる。
【０００７】
また、このようなアタッチメントを所定のメールの配信を受けるユーザーのためのみならず、例えば広告メールを配信してもらいたい広告主等のホスト側の携帯端末にも共用することができる。そのホスト側の携帯端末をメインの携帯端末とし、それ以外の第三者の携帯端末がメール配信を受けたい携帯端末とすれば、次のような発明となる。つまり、
通信ネットワークと接続されたメール配信サイトと、
そのメール配信サイトと関連付けて設けられ、そのメール配信サイトから通信ネットワークを介して配信される個別の内容を記憶するホームページエリアと、その通信ネットワークに接続可能な携帯端末の接続端子に一時的に接続されるアタッチメントであって、メインの携帯端末をホストとしてその携帯端末の接続端子に接続可能であり、またそのメインの携帯端末以外の第三者の携帯端末の接続端子にも接続可能であるとともに、メール配信サイトのメールアドレスを記憶しており、第三者の携帯端末との接続状態で所定の指示操作が行われることによりメール配信サイトのアドレスに当該第三者の携帯端末のメールアドレスをその第三者の携帯端末により送信させる一方、メール配信サイトの特定のホームページエリアのアドレスを記憶しており、ホストの携帯端末との接続状態で所定の指示操作が行われることにより、メール配信サイトの特定のホームページエリアにホストの携帯端末を接続させて、そのホームページエリアの内容をそのホストの携帯端末から編集可能状態とするアタッチメントと、
そのアタッチメントを介して第三者の携帯端末から送信されたメールアドレスをメール配信サイトに登録して記憶する手段と、
その登録された第３者の携帯端末のメールアドレスに、メール配信サイトからアタッチメントを介して編集可能なホームページエリアの内容を含む形で所定の内容を通信ネットワークを介して定期的又は所定の時期に配信するメール配信手段と、
を含むことを特徴とする。
その場合、アタッチメントは、ホームページエリアの内容を編集するためにホストの携帯端末を該ホームページエリアのアドレスに接続させるために押される編集ボタンと、第三者の携帯端末のメールアドレスをメール配信サイトへ送信してこれを登録させるために押される配信登録ボタンとを備えるものとすることができる。
これにより、上記アタッチメントを第三者の携帯端末に接続して、例えば、配信登録ボタンを押せばその第三者の携帯端末のメールアドレスがメール配信サイトに配信されて登録され、以後はそのサイトから所定のコンテンツ（例えば天気予報、株式情報あるいは所定の広告メール）が自動配信される一方、そのアタッチメントをホスト（メイン）の携帯端末に接続して、例えば編集ボタンを押せば、広告メールを配信してもらいたい広告主側の広告ホームページ等を編集し、その最新の広告コンテンツが第三者の携帯端末へ所定のタイミングで送信されるようにすることができる。このようなシステムにより、広告コンテンツの内容をバーゲンセール等、用途に合わせて毎日でも変更できて、しかも単なるホームページと異なり、見てもらえるメールとして配信されるから、効率のよい一種のダイレクトメールサービスが実現できる。
【０００８】
なお、上記アタッチメントは、第三者の携帯端末へ接続された状態で編集ボタンが押された際には、それを無効化するようにアタッチメントに記憶されている携帯電話番号と実際に接続されている携帯電話の番号とを一致するかどうかを判断する判断手段を設けることができる。このような自動電話番号認識機能を付加すれば、もし間違えて、客（第三者）の携帯電話へ接続して編集ボタンを押しても、広告コンテンツの内容（店情報）は変更できないので安心である。
【０００９】
【発明の実施の形態】
以下、図面に示す実施例を参照しつつこの発明の実施の形態を説明する。
図１は、全体的な概念を説明するもので、メール配信サイト１はインターネット２に接続され、またこのインターネット２に携帯端末としての携帯電話３、４等が接続できるようになっている。携帯電話３、４はインターネット２を通じてメール配信サイト１にアクセスすることができ、メール配信サイト１では、それら携帯電話のメールアドレスを登録するアドレス登録、その登録されたメールアドレスの携帯電話へ配信するためのコンテンツ等を記憶している。また、店情報等の広告コンテンツを記憶するホームページエリアも有している。携帯電話３、４には、アタッチメント５が装着可能となっている。
【００１０】
このアタッチメント５は典型事例に即して言えば、多数の客側（第三者）の携帯電話３に接続することもできるし、ある店舗を有する店側（メイン）の携帯電話４にも接続することができる。そして、店側でこの１個のアタッチメント５を所定の供給先（例えばメール配信サイトの主催者等）から購入するかもしくは貸与を受ける。その店舗は、入手したアタッチメント５を顧客サービスに利用するために、そのアタッチメント５を、客の携帯電話３を借りてそれに接続し、店側でそのアタッチメント５の後述する配信登録ボタンを押すことにより、客の携帯電話のメールアドレスをインターネット２を介して、メール配信サイト１に登録してあげることができる。
【００１１】
これにより、客側としては、以後、自身の携帯電話３に例えば天気予報とか株式情報等の希望するコンテンツを、定期的にメール配信サイト１から送信を受けることができる。そのため、店側にとっては、このアタッチメント５を利用したメールアドレス登録を客に対するサービスの一環として行うことができる。また、店側はメール配信サイト１に自身の店舗情報等の広告コンテンツをホームページエリアに予め登録しておけば、上述の天気予報等のコンテンツだけでなく、自分の店情報を客の携帯電話３にメール配信サイト１から定期的又は所定のタイミングで送信してもらうことができる。
【００１２】
そして、アタッチメント５をホームページエリア（広告コンテンツとしての店情報）を変更する等の編集操作に利用することができる。つまり、店の（メインの）携帯電話４に店側が所有するアタッチメント５を自ら接続しそのアタッチメント５に設けられた後述する編集ボタンを押すことにより、この店側の携帯電話４がインターネット２を介して自分の店情報が記憶されたサイトエリアに自動的につながり、後は店側の携帯電話４の入力操作等により所望の内容に変更できる。これは例えばバーゲンセールを行う場合等に、時間単位で値段を下げたり、一週間ごとに目玉商品を変えていく等のタイムリーな広告コンテンツを容易に作成することにつながる。
【００１３】
図２は、メール配信サイト１を構成するサーバ１の内容を概念的に示すものである。このサーバ１はＩ／Ｏポート７を介してインターネット２につながり、バス８を介してＣＰＵ９、ＲＯＭ１０、ＲＡＭ１１及び大容量記憶装置としてのＨＤＤ１２を含む。ＨＤＤ１２には、天気予報、占い、ニュース、その他の配信コンテンツ記憶部、アタッチメント５を介して携帯電話３から送信される携帯電話のメールアドレスを記憶する記憶部、携帯電話のユーザー（客側）がどのような配信コンテンツを希望しているかを記憶する希望コンテンツ記憶部、アタッチメント５を購入し又は貸与を受けたホストの携帯電話番号又はその個人情報を含むホスト携帯電話情報を記憶する記憶部、前述の店情報としての広告を記憶したホームページ（広告）格納エリア等を有している。
【００１４】
またＲＯＭ１０には、アタッチメント５を介して携帯電話３から送信された携帯電話３のメールアドレスを登録するプログラム、その登録されたプログラムに定期的又は所定の時期に予め決められたコンテンツを配信するメール配信プログラム、ホスト側の携帯電話４からアタッチメント５を介してホームページ（広告コンテンツとしての店情報）を編集するためのホームページ編集プログラム等が記憶されている。ＲＡＭ１１はワークメモリとして機能し、必要なデータを一時的に記憶する。
【００１５】
図３（ａ）は、携帯電話３、４とアタッチメント５との接続関係を示している。図３（ｂ）に示すように、アタッチメント５は、本体１５、その一端に設けられた接続端子１６、本体１５に設けられた配信登録ボタン１７、編集ボタン１８、さらに接続状態でロックする爪２０を解除するために押されるロック解除ボタン１９、ボタン１７又は１８が押されアタッチメント５により所定の処理がされている状態で点灯するランプ２１を備えている。携帯電話３又は４は通常のもので、アタッチメント１５の接続端子１６と互いに接続する接続端子２８を備えている。逆に言えば、携帯電話３又は４の接続端子２８に装着可能なように、アタッチメント５の接続端子１６が形成される。
【００１６】
図４は、携帯電話３又は４とアタッチメント５のそれぞれの回路構成を簡単に示すものである、アタッチメント５の接続端子１６は、Ｉ／Ｏポート２２、バス２３を介してＣＰＵ２４、ＲＯＭ２５及びＲＡＭ２６とに接続されている。ＲＡＭ２６には、メール配信サイト１のアドレス（ＵＲＬ）を記憶する記憶部、店側の広告、いわゆる店舗情報を載せているホームページのアドレス（ＵＲＬ）を記憶する記憶部、ホスト（店側）の携帯電話の電話番号（携帯番号ともいう）を記憶する記憶部を備えている。
【００１７】
ＲＯＭ２５には、アタッチメント５が携帯電話３に接続された状態で配信登録ボタン１７を押されることにより携帯電話のメールアドレスを読み出すプログラム、さらに、その携帯電話のメールアドレスを携帯電話３及びインターネット２を介してメール配信サイト１へ送信することを指令するプログラムが記憶されている。また、後述のホスト側の携帯番号をチェックするプログラム、さらにアタッチメント５が店側（ホスト側）の携帯電話４に接続された状態で編集ボタン１８が押されることにより当該ホスト側の携帯電話４をメール配信サイト１のホームページエリアへ繋げるための編集指令プログラム等が格納されている。
【００１８】
一方、携帯電話３、４は通常の公知のものであるため詳しい説明はしないが、接続端子２８はＩ／Ｏポート２９を介してＣＰＵ３０、ＲＯＭ３１及びＲＡＭ３２に接続され、また表示画面３３や入力キー３４等の制御部もこれらに接続されている。ＲＡＭ３２にはこの携帯電話番号を記憶する記憶部、この携帯電話のメールアドレスを記録する記憶部を少なくとも備え、携帯電話３又は４に通常備えられる要素として、表示画面３３、入力キー３４、マイク３５、スピーカ３６、発信・受信部３７及びアンテナ３８を備えている。
【００１９】
アタッチメント５の接続端子１６と携帯電話３又は４の接続端子２８とが接続した状態で、アタッチメント５の配信登録ボタン１７が押されれば、ＣＰＵ２４は携帯メールアドレス読み出しプログラム及び携帯メールアドレス送信指令プログラムを起動し、ＲＡＭ２６のメール配信サイトのアドレスのデータを、携帯電話３のＲＡＭ３２のワークエリアに送信し、携帯電話３のＣＰＵ３０は、その携帯メールアドレスを発信・受信部３７、アンテナ３８を介して所定の基地局に送信し、インターネット２を介してそれがメール配信サイト１に送信されることとなる。なお、入力キー３４を入力操作することによりメール配信サイト１のアドレスを入力すれば、そのデータが一旦ＲＡＭ３２のワークエリアに一時記憶され、携帯電話３の送信作用によってもこれを送信することができるが、アタッチメント５を使用することで、その入力操作が省略できる。
【００２０】
次に、アタッチメント５を用いた送信処理等の流れを具体的なフローチャートを用いてさらに詳しく説明する。図５は、アタッチメント５を客側（第三者）の携帯電話３に接続し、当該携帯電話３のメールアドレスをメール配信サイト１のサーバ１に登録する処理を説明するものである。まず、Ｓ１において、接続端子１６及び２８を介して、アタッチメント５を客側（第三者）の携帯電話３に接続する。そして、この接続状態において、アタッチメント５のメールアドレス登録ボタン（配信登録ボタン）１７が押された（ＯＮ）かどうかが判断される（Ｓ２）。メールアドレス登録ボタン１７が押されている場合には、以下の処理を順次行って行く。
【００２１】
つまり、配信登録ボタン１７を押すことにより、携帯電話３の表示画面３３に、図９（ａ）に示すような希望コンテンツ選択画面が表示され、第三者により希望コンテンツの選択が行なわれる（Ｓ３）。図９（ａ）に示すように、コンテンツの選択は、希望コンテンツ選択画面上にて希望するコンテンツに印をつけて、変更ボタンを選択することで行うことができる。希望コンテンツを選択すれば、第三者の携帯電話３に、アタッチメント５に記憶されているメール配信サイトのメールアドレスが書きこまれる（Ｓ４）。
【００２２】
そして、ＲＯＭ２５に格納されている携帯メールアドレス読み出しプログラムにより、携帯メールアドレス記憶部から携帯電話のメールアドレスが読み出される（Ｓ５）とともに、第三者の携帯電話３から、その携帯電話３のメールアドレス及びアタッチメント５に記憶されているホストユーザー（店側）のＩＤ（携帯電話番号等）を、メール配信サイト１のアドレスへ送信する（Ｓ６）。メール配信サイト１側でそれらのデータを受信する（Ｓ７）と、メール配信サイトから当該携帯電話に空メールが送信され（Ｓ８）、その空メール（何もコンテンツのない実体のないメール）の送信記録が、メール配信サイト１に記録されることにより、結果として、当該携帯電話のメールアドレスが登録されることになる（Ｓ９）。空メール送信はその登録のための便宜的な方法として採用される。
【００２３】
図６は、メール配信サイト１から携帯電話３にメールを配信する際の処理を示すフローチャートである。まず、メール発信をするタイミングかどうかを判断し（Ｑ１）、メールを発信するタイミングであると判断された場合には、登録された携帯電話３のメールアドレスに対応する配信希望コンテンツを読み出す（Ｑ２）す。そして、Ｑ３において広告データを付けるかどうかを判断し、広告データを付ける場合には、その登録されたアドレスに対応するホストユーザーのＩＤからそのホストユーザーに関連する広告データを読み出し（Ｑ５）、携帯電話３のメールアドレスに配信希望コンテンツ及び広告データを配信する（Ｑ６）。
【００２４】
一方、Ｑ３において、広告データを付けないと判断した場合には、携帯電話３のメールアドレスに配信希望コンテンツを配信する（Ｑ４）。これにより、メール配信サイト１に登録されているメールアドレスの携帯電話（客（第三者）の携帯電話）３により、配信データを受領し、図９（ｂ）に示すように、配信コンテンツ（例えば天気予報）が携帯電話３の表示画面３３に表示され、配信コンテンツを閲覧することができる（Ｑ７）。
【００２５】
このとき、Ｑ３において、広告データを付けると判断された場合には、図９（ｂ）に示すように、配信コンテンツとともに広告コンテンツも携帯電話３において受領（メール配信）され、その内容が表示画面３３に表示される。なお、配信コンテンツを受信したユーザー（第三者）が配信コンテンツの変更を希望する場合は、Ｑ８の希望配信コンテンツの変更があるかどうかの判断により、変更ありと判断された（第三者が変更を希望した）場合には、携帯電話３から希望コンテンツの変更を入力し（Ｑ９）、変更された希望コンテンツの内容をメール配信サイトへ送信する（Ｑ１０）。そして、メール配信サイト１のサーバ１において、コンテンツの変更の登録がなされ、処理が終了する。一方、希望コンテンツの変更がない（第三者が変更を希望しない）場合には、そのまま処理を終了する。
【００２６】
ここで、店側が前記アタッチメント５を購入し又は無償配布若しくは貸与を受ける際の契約内容として、例えば、月々の会費（店側の定める第三者に店側に代って希望コンテンツや広告をメール代行配信する対価）として、複数種の互いに異なる会費を定めるような場合がある。いま、契約種別１としてスタンダードコース（例えば１０、０００円）、契約種別２としてエコノミーコース（例えば５、０００円）としたとき、エコノミーコースは、広告の入らないユーザーの希望コンテンツのみか、他社の広告を入れる可能性もあることを前提とし、スタンダードコースは、広告については自店の広告が第三者（客）の携帯電話に送信される（他社広告は入らない）とする。このように会費の高低差により契約種別を複数（この例では２つ）に分け、契約種別１又は２で配信内容を変えることができる。図７はこの例の処理である。図７に示すＱ１〜Ｑ２の処理の後、契約種別ごとの送信を行う。
【００２７】
つまり、Ｑ３の広告データを付けるかどうかの判断により、広告データを付けると判断された場合、ホストユーザーのＩＤを読み出し、そのＩＤと対応して登録されている契約内容の種別を読み出す（Ｑａ１）。ここで、Ｑａ２の判断において、契約内容が契約種別１（スタンダードコース）であると判断されると、例えばＱａ３のように、登録された携帯電話のメールアドレスに対応するホストユーザーのＩＤから当該ホストユーザーに関連する広告データ（自身の店情報）を読み出すようにし、契約内容が契約種別２（エコノミーコース）であると判断されると、Ｑａ４のように、全体の一般広告データからランダムに又は一定のルールで広告データを読み出すようにすることができる。
【００２８】
そして、これら読み出された広告データに基づく広告コンテンツが、図９（ｂ）及びＣに示すように、携帯電話のメールアドレスに配信希望コンテンツとともに配信されることになる（Ｑ６）。なお、配信コンテンツが一切なく、広告データだけを配信コンテンツとして配信することもできる。他方、契約種別２（エコノミーコース）の場合は、図７のＱａ４に移行することなく、Ｑ４に移行して、広告データなしで、配信希望コンテンツのみが配信されるようにしてもよい。
【００２９】
図８は、広告コンテンツをホスト（店側）のユーザーが編集する際の処理を説明するフローチャートである。まず、ホストユーザーの携帯電話４とアタッチメント５とをそれぞれの接続端子１６及び２８を介して接続し、アタッチメント５の編集キー（編集ボタン）がＯＮになったか（ボタンが押されている）かどうかを判断する（Ｐ１）。編集キーがＯＮの場合には、アタッチメント５に記憶されているホストユーザーの携帯電話の番号を読み出すとともに（Ｐ２）、現在アタッチメント５に接続されている携帯電話の番号を読み出す（Ｐ３）。
【００３０】
そして、読み出されたアタッチメント５に記憶されている携帯電話の番号と、実際に接続されている携帯電話の番号とが一致するかどうかを判断して（Ｐ４）、両者の電話番号が一致した場合には、当該携帯電話からメール配信サイト１に登録されている、このホストユーザーの広告データのアドレスにアクセスして接続する（Ｐ５）。すると、アタッチメント５に接続されたホストユーザーの携帯電話４の表示画面に図９（ｄ）に示すような広告コンテンツの編集画面が表示される。そして、このホストユーザーが当該編集画面上において、携帯電話における通常の入力操作により、広告コンテンツを書き換えることにより、変更処理を行うことできる（Ｐ６）。
【００３１】
ホストユーザーによる変更処理により、メール配信サイト１の広告データが変更され（Ｐ７）、変更された広告データは、メール配信サイト１に登録されることになり、この後客（第三者）に配信コンテンツが配信される際には、変更された広告コンテンツが配信されることになる。一方、Ｐ４の判断において、携帯電話の番号が一致しない場合には、無効処理（例えば、編集不可能であることを通知する）を行い（Ｐ８）、そのまま編集処理を終了する。
【００３２】
以上のような実施例によれば、店側がアタッチメントを入手し、このアタッチメントを用いて客の携帯電話のメールアドレスをサイトへ自動発信し、以後、客の携帯電話への希望コンテンツのメール配信という顧客サービスと、店情報（広告）の配信という広告付与とのダブル効果の顧客囲い込み機能を果たせる。これにより、ダイレクトメールの印刷が不要で配送等の手間もかからないため、顧客サービスを高めつつ、大幅な経費節減を図ることができる。また、店側の店情報（ホームページ）もアタッチメントを接続した状態で編集ボタンを押し、開いた画面で編集するだけで済むので、自らの店情報を毎日でも変更でき、タイムリーな広告を配信可能となる。
【図面の簡単な説明】
【図１】本発明の携帯端末のためのメール配信システムの概念図。
【図２】メール配信サイトのサーバの内容を説明する概念図。
【図３】携帯電話とアタッチメントとの接続関係を示す図。
【図４】携帯電話とアタッチメントの回路構成を示す概念図。
【図５】メールアドレスの登録処理を説明するフローチャート。
【図６】配信コンテンツを配信する処理を説明するフローチャート。
【図７】配信コンテンツに広告データを付ける処理の一形態を示すフローチャート。
【図８】広告コンテンツの編集処理を説明するフローチャート。
【図９】携帯電話の表示画面に表示される配信コンテンツの一形態を示す図。
【符号の説明】
１　メール配信サイト
２　インターネット
３　携帯電話（第三者）
４　携帯電話（ホスト）
５　アタッチメント
９　ＣＰＵ
１６　アタッチメントの接続端子
１７　配信登録ボタン（スイッチ）
１８　編集ボタン
２４　ＣＰＵ（送信指令手段）
２６　ＲＡＭ（メール配信サイトのメールアドレスを記憶する記憶部）
２８　携帯電話の接続端子
【図１】
2004118230.tif 000003
【図２】
2004118230.tif 000004
【図３】
2004118230.tif 000005
【図４】
2004118230.tif 000006
【図５】
2004118230.tif 000007
【図６】
2004118230.tif 000008
【図７】
2004118230.tif 000009
【図８】
2004118230.tif 000010
【図９】
2004118230.tif 000011
【手続補正書】
【提出日】平成15年4月21日(2003.4.21)
【手続補正１】
【補正対象書類名】明細書
【補正対象項目名】請求項１
【補正方法】変更
【補正の内容】
【請求項１】
通信ネットワークと接続されたメール配信サイトと、
前記通信ネットワークと接続される携帯端末の接続端子に一時的に接続されるとともに、前記メール配信サイトのメールアドレスを記憶しており、当該携帯端末から読み出したメールアドレスを前記メール配信サイトのアドレスへその携帯端末から送信させるアタッチメントと、
前記メール配信サイトに具備され、その携帯端末から送信されたメールアドレスを登録して記憶する手段と、
前記メール配信サイトに具備され、その登録された携帯端末のメールアドレスに定期的又は所定の時期に所定のメールを配信するメール配信手段と、
を含むことを特徴とする携帯端末のためのメール配信システム。
【手続補正２】
【補正対象書類名】明細書
【補正対象項目名】請求項５
【補正方法】変更
【補正の内容】
【請求項５】
前記アタッチメントは、前記送信指令手段を起動するための前記スイッチとして、配信登録ボタンを備える請求項４に記載のメール配信システム用のアタッチメント。
【手続補正３】
【補正対象書類名】明細書
【補正対象項目名】請求項６
【補正方法】変更
【補正の内容】
【請求項６】
通信ネットワークと接続されたメール配信サイトと、
そのメール配信サイトと関連付けて設けられ、そのメール配信サイトから前記通信ネットワークを介して配信される個別の内容を記憶するホームページエリアと、
その通信ネットワークに接続可能な携帯端末の接続端子に一時的に接続されるアタッチメントであって、メインの携帯端末をホストとしてその携帯端末の接続端子に接続可能であり、またそのメインの携帯端末以外の第三者の携帯端末の接続端子にも接続可能であるとともに、前記メール配信サイトのメールアドレスを記憶しており、前記第三者の携帯端末との接続状態で所定の指示操作が行われることにより、前記メール配信サイトのアドレスに当該第三者の携帯端末のメールアドレスを該第三者の携帯端末から読み出してその第三者の携帯端末により送信させる一方、前記メール配信サイトの特定のホームページエリアのアドレスを記憶しており、前記ホストの携帯端末との接続状態で所定の指示操作が行われることにより、前記メール配信サイトの特定のホームページエリアにホストの携帯端末を接続させて、そのホームページエリアの内容をそのホストの携帯端末から編集可能状態とするアタッチメントと、
前記メール配信サイトに具備され、そのアタッチメントを介して前記第三者の携帯端末から送信されたメールアドレスを前記メール配信サイトに登録して記憶する手段と、
前記メール配信サイトに具備され、その登録された第三者の携帯端末のメールアドレスに、前記メール配信サイトから前記アタッチメントを介して編集可能なホームページエリアの内容を含む形で所定の内容を前記通信ネットワークを介して定期的又は所定の時期に配信するメール配信手段と、
を含むことを特徴とする携帯端末のためのメール配信システム。
【手続補正４】
【補正対象書類名】明細書
【補正対象項目名】請求項７
【補正方法】変更
【補正の内容】
【請求項７】
メール配信システム用の請求項６に記載されたアタッチメント。
【手続補正５】
【補正対象書類名】明細書
【補正対象項目名】０００５
【補正方法】変更
【補正の内容】
【０００５】
【課題を解決するための手段及び発明の効果】
この発明では、通信ネットワークと接続されたメール配信サイトと、
その通信ネットワークと接続される携帯端末の接続端子に一時的に接続されるとともに、メール配信サイトのメールアドレスを記憶しており、当該携帯端末から読み出したメールアドレスを前記メール配信サイトのアドレスへその携帯端末から送信させるアタッチメントと、
前記メール配信サイトに具備され、その携帯端末から送信されたメールアドレスを登録して記憶する手段と、
前記メール配信サイトに具備され、その登録された携帯端末のメールアドレスに定期的又は所定の時期に所定のメールを配信するメール配信手段と、
を含むことを特徴とする。


【手続補正６】
【補正対象書類名】明細書
【補正対象項目名】０００７
【補正方法】変更
【補正の内容】
【０００７】
また、このようなアタッチメントを所定のメールの配信を受けるユーザーのためのみならず、例えば広告メールを配信してもらいたい広告主等のホスト側の携帯端末にも共用することができる。そのホスト側の携帯端末をメインの携帯端末とし、それ以外の第三者の携帯端末がメール配信を受けたい携帯端末とすれば、次のような発明となる。つまり、
通信ネットワークと接続されたメール配信サイトと、
そのメール配信サイトと関連付けて設けられ、そのメール配信サイトから通信ネットワークを介して配信される個別の内容を記憶するホームページエリアと、その通信ネットワークに接続可能な携帯端末の接続端子に一時的に接続されるアタッチメントであって、メインの携帯端末をホストとしてその携帯端末の接続端子に接続可能であり、またそのメインの携帯端末以外の第三者の携帯端末の接続端子にも接続可能であるとともに、メール配信サイトのメールアドレスを記憶しており、第三者の携帯端末との接続状態で所定の指示操作が行われることにより、メール配信サイトのアドレスに当該第三者の携帯端末のメールアドレスを該第三者の携帯電話から読み出してその第三者の携帯端末により送信させる一方、メール配信サイトの特定のホームページエリアのアドレスを記憶しており、ホストの携帯端末との接続状態で所定の指示操作が行われることにより、メール配信サイトの特定のホームページエリアにホストの携帯端末を接続させて、そのホームページエリアの内容をそのホストの携帯端末から編集可能状態とするアタッチメントと、
前記メール配信サイトに具備され、そのアタッチメントを介して第三者の携帯端末から送信されたメールアドレスをメール配信サイトに登録して記憶する手段と、
前記メール配信サイトに具備され、その登録された第三者の携帯端末のメールアドレスに、メール配信サイトからアタッチメントを介して編集可能なホームページエリアの内容を含む形で所定の内容を通信ネットワークを介して定期的又は所定の時期に配信するメール配信手段と、
を含むことを特徴とする。
その場合、アタッチメントは、ホームページエリアの内容を編集するためにホストの携帯端末を該ホームページエリアのアドレスに接続させるために押される編集ボタンと、第三者の携帯端末のメールアドレスをメール配信サイトへ送信してこれを登録させるために押される配信登録ボタンとを備えるものとすることができる。
これにより、上記アタッチメントを第三者の携帯端末に接続して、例えば、配信登録ボタンを押せばその第三者の携帯端末のメールアドレスがメール配信サイトに配信されて登録され、以後はそのサイトから所定のコンテンツ（例えば天気予報、株式情報あるいは所定の広告メール）が自動配信される一方、そのアタッチメントをホスト（メイン）の携帯端末に接続して、例えば編集ボタンを押せば、広告メールを配信してもらいたい広告主側の広告ホームページ等を編集し、その最新の広告コンテンツが第三者の携帯端末へ所定のタイミングで送信されるようにすることができる。このようなシステムにより、広告コンテンツの内容をバーゲンセール等、用途に合わせて毎日でも変更できて、しかも単なるホームページと異なり、見てもらえるメールとして配信されるから、効率のよい一種のダイレクトメールサービスが実現できる。